(57)【特許請求の範囲】
【請求項１】
ファンモータ組立を収納するベルマウスと、当該ベルマウスを覆うように前記ベルマウスに固定されたファングリルとを有する冷蔵庫において、
前記ベルマウスのファンモータ組立固定部分は分割されることにより前記ファンモータ組立を分離可能とされており、
前記ファングリルには、除去されることによりベルマウスのファンモータ組立固定部分を露出させると共にこの露呈させる部分から前記ファンモータ組立及びその固定部分の取り外しを可能とする除去部分が設けられ、
前記ベルマウスのファンモータ組立固定部分及び前記ファングリルの前記除去部分の周囲には、分割及び除去するときの引き裂きまたは叩き切りを容易とする線状に並んだ子孔が形成され、
前記ファングリルの前記除去部分の内外には、線状に並んだ子孔と交差する部分を除いて、前記除去部分が一体に除去されるように補強リブが設けられている
ことを特徴とする冷蔵庫。
【請求項２】
前記ファングリル及び前記ベルマウスの少なくとも何れか一方に把持部を設けたことを特徴とする請求項１に記載の冷蔵庫。
【請求項３】
ファングリルおよびベルマウスを含み、ファンモータ組立構成部品のうちプラスチック成形部品を同一材料にしたことを特徴とする請求項１または２に記載の冷蔵庫。
【発明の詳細な説明】
【０００１】
【発明の属する技術分野】
この発明は、冷蔵庫に関し、さらに詳しくは、簡単かつ安全にファンモータを取り出すことができる冷蔵庫に関する。
【０００２】
【従来の技術】
図６は、従来の冷蔵庫の一例を示す全体断面図である。この冷蔵庫１００は、外箱１０と内箱１１との間に断熱材２４を設けて冷蔵庫本体１を構成している。この冷蔵庫本体１の底部奥側には圧縮機２と凝縮機３とが設置されている。また、冷蔵庫本体１内には、冷蔵室６と、野菜室７と、上部冷凍室８と、下部冷凍室９とが設けられている。
【０００３】
冷蔵庫本体１の冷蔵室前面には冷蔵室扉１６が設けられている、同様に、野菜室７前面には野菜室扉１７が、上部冷凍室８前面には上部冷凍室扉１８が、下部冷凍室９前面には下部冷凍室扉１９が設けられている。上部冷凍室８の奥側には、ファンモータ組立５が配置されている。ファンモータ組立５の下方には、冷却器４が配置されている。冷蔵庫本体１内は、中仕切１２によって、冷蔵室６および野菜室７と、上部冷凍室８および下部冷凍室９とが仕切られている。
【０００４】
図７は、図６の一部拡大図である。図８は、図６に示した冷蔵庫の斜視構成図である。ファンモータ組立５は、ベルマウス５ｃに形成されたモータハウジング内に設置したファンモータ５ａと、このファンモータ５ａを覆うモータカバー５ｄと、モータ軸に取り付けたファン５ｂと、モータ軸を軸支するブシュ５ｅ，５ｆとから構成されている。モータカバー５ｄとベルマウス５ｃとは、ネジ２８により固定されている。
【０００５】
ファングリル１３は、上部冷凍室８に対して冷気を吹き出す第１の吹出口１３ａ，１３ｂと、下部冷凍室９に対して冷気を吹き出す第２の吹出口１３ｃと、循環した冷気を吸い込む吸込口１３ｄとを備えている。ファングリル１３とベルマウス５ｃとは、複数のはめ込み構造によって固定状態となる。
【０００６】
また、ファングリル１３は、取付孔１３ｅにネジ２７を通し、冷蔵庫本体１に固定される。冷却器４の下方には、霜受け板２２が設けられている。霜受け板２２の底部からは排水パイプ２６が延出しており、霜受け板２２の受け部分には、霜取りを行う霜取りヒーター２５が設置されている。排水パイプ２６の出口下方には、滴下する排水を受ける蒸発皿２３が設けられている。
【０００７】
中仕切１２は、上仕切板１２ａと下仕切板１２ｂとの間に発砲スチロールなどの断熱材１４を充填した構造であり、下仕切板１２ｂには、ベルマウス５ｃの掛止リブ５ｃａを止めるための掛止部１２ｄと、掛止リブ５ｃａの先端をはめ込むはめ込み穴１２ｅと、ファングリル１３の位置決めをする爪１２ｃとを備えている。中仕切１２は、冷凍室６および野菜室７と上部冷凍室８および下部冷凍室９との間の温度差に起因する相互影響を防止する。
【０００８】
上部冷凍室８は、上部冷凍ケース２０と、自動製氷機１５とを備えている。ファングリル１３の吹出口１３ａは、自動製氷機１５の上方に位置する。下部冷凍室９は、下部冷凍ケース２１を有する。下部冷凍ケース２１の上方には吹出口１３ｃが位置する。
【０００９】
また、従来の冷蔵庫の他の一例として、特開平４−３４００７９号公報に開示されたセパレート形冷蔵庫が知られている。この冷蔵庫では、上本体を下本体から分離して冷却器カバーを取り除いた後、内箱の背面に設けられた凹部に沿ってナイフを入れ、冷却ユニットを分離させる。
【００１０】
【発明が解決しようとする課題】
しかしながら、上記従来の冷蔵庫１００では、ネジ固定やはめ込み構造によってファングリル１３を冷蔵庫本体１やベルマウスに強固に取り付けているため、解体時、リサイクル部品であるファンモータ５ａを取り出しにくいという問題点があった。また、上記特開平４−３４００７９号公報に開示の冷蔵庫についても、内箱をナイフで切断して冷却ユニットを取り出すようにしているため、解体作業に時間がかかるし、ナイフの強引な使用により怪我をするおそれがあるという問題点があった。
【００１１】
この発明は、上記に鑑みてなされたものであって、ファンモータを簡単かつ安全に取り出すことができる冷蔵庫を得ることを目的とする。
【００１２】
【課題を解決するための手段】
上述の目的を達成するために、この発明による冷蔵庫は、一部にファンモータ組立を構成したベルマウスと、ベルマウスに固定したファングリルとを有する冷蔵庫において、引き裂きまたは叩き切ることでファングリル側からファンモータ組立が露出可能なように、ファングリルに対して略線状のスリットを設け、引き裂きまたは叩き切ることでベルマウスからファンモータ組立が分離可能なように、ベルマウスに対して略線状のスリットを設けたものである。
【００１３】
ファングリルに設けたスリットに沿って当該ファングリルを引き裂きまたは叩き切ることにより、ベルマウスと固定された状態で、ファンモータ組立を露出させる。つぎに、ベルマウスに設けたスリットに沿って引き裂きまたは叩き切ることで、ファンモータ組立をベルマウスから分離する。その後、ファンモータ組立を取り出す。スリットは線状に設けられているから、ベルマウスおよびファングリルを引っ張ることで連続的に引き裂くことができる。この際、ベルマウスとファングリルとの取付部分を解除する必要はない。また、ファングリルおよびベルマウスはペンチやハンマその他の汎用工具を用いれば引き裂きまたは叩き切ることができるから、ナイフなどの刃物を用いる必要はない。
【００１４】
つぎの発明による冷蔵庫は、上記冷蔵庫において、さらに、ファングリルの引き裂いて除去する部分に補強リブを設けたものである。引き裂いて除去する部分に補強リブを設けることにより、除去部分の強度が増すから、かかる部分を一体として除去できる。補強リブの形状は自由であるが、具体的には実施の形態において示す通りである。
【００１５】
つぎの発明による冷蔵庫は、上記冷蔵庫において、さらに、前記ファングリルまたはベルマウスに把持部を設けたものである。ファングリルまたはベルマウスに把持部を設け、この把持部を引っ張ることでスリットに沿って引き裂くことが可能になる。この場合、工具は不要である。
【００１６】
つぎの発明による冷蔵庫は、上記冷蔵庫において、ファングリルおよびベルマウスを含み、ファンモータ組立構成部品のうちプラスチック成形部品を同一材料にしたものである。ファンモータ組立構成部品のプラスチック成形部品に同一材料を用いることで、分別する手間が省け、そのまま一括して溶解することができる。
【００１７】
【発明の実施の形態】
以下、この発明にかかる冷蔵庫につき図面を参照しつつ詳細に説明する。なお、この実施の形態によりこの発明が限定されるものではない。
【００１８】
実施の形態１．
図１は、この発明の実施の形態１にかかる冷蔵庫のファンモータ組立付近を示す斜視図である。図２は、図１に示したファンモータ組立の正面図である。なお、同図において、上記従来の冷蔵庫１００と同一の構成要素には同一の符号を用いるものとし、その説明を省略する。ファングリル１３には、左側中間端部から右上方端部にかけて矩形状のスリット１３ｆを線状に形成している。
【００１９】
また、ファングリル１３には、補強用のリブ１３ｇ，１３ｈ，１３ｉ，１３ｊが設けられている。補強リブ１３ｇ，１３ｈ，１３ｉ，１３ｊを設けることにより、除去部分の強度が増して当該部分を一体として除去できる。ただし、スリット１３ｆと交差する部分Ｋには補強リブを設けない。引き裂き性を損なわないようにするためである。
【００２０】
つぎに、ベルマウス５ｃとファングリル１３との取付部分を詳細に指示すれば、ベルマウス５ｃとファングリル１３とは当該ファングリル１３の掛止孔１３ｋにてベルマウス５ｃの爪５ｇと掛合しており、両者は強固に取り付けられている。また、ベルマウス５ｃは、掛止リブ５ｃａにて中仕切１２と掛合するが、ベルマウス５ｃの下方隅に設けた取付孔５ｃｄはファングリル１３の取付孔１３ｅと一致するので、ネジ固定する際、ベルマウス５ｃおよびファングリル１３が冷蔵庫本体１に対して共に固定状態になる。
【００２１】
一方、ベルマウス５ｃには、上方左右２端部から中心付近に向かい、リード線掛止リブ５ｃｂを避けつつ矩形状のスリット５ｃｃが形成されている。ファンモータリード線２９は、リード線掛止リブ５ｃｄにより配線固定されている。上記ファングリル１３とベルマウス５ｃは、例えばポリプロピレン樹脂で構成されている。ファン５ｂも同一の材料にて構成することができる。また、前記スリット１３ｆ，５ｃｃの形状は、矩形に限定されない。
【００２２】
図３に、他のスリット形状を示す。同図に示すように、スリット１３ｆ，５ｃｃは、菱形、長穴形、楕円形、円形、三角形とし、これらを線状に形成するようにしてもよい（同図（ａ））。また、太めの線状に形成してもよい（同図（ｂ））。さらに、スリットのピッチやサイズについても、上記に限定されない。
【００２３】
つぎに、作用について説明する。使用完了した冷蔵庫の廃棄解体時、リサイクル可能なファンモータ組立５を取り出す。まず、上部冷凍室扉１８および下部冷凍室扉１９を外し、続いて、上部冷凍室ケース２０および下部冷凍室ケース２１と自動製氷機１５とを取り外す。つぎに、中仕切１２の爪１２ｃを手で押し上げながら、ペンチまたはバールなどの汎用工具にてファングリル１３の端部をつかみまたは引っ掛けて、そのまま手前に引く。
【００２４】
これにより、スリット１３ｆ部分でファングリル１３が引き裂かれ、ファンモータ組立５が露出する。なお、除去部分は、補強リブ１３ｈ，１３ｉ，１３ｊの作用により一体として除去される。また、ハンマーとタガネを用いる場合は、これらによりスリット１３ｆ部分を叩き切り、そのまま引き出せばファンモータ組立５を露出することができる。
【００２５】
つぎに、ベルマウス５ｃの切断部５ｈとファンモータリード線２９をペンチやタガネ等で切断すると共に、これら汎用工具によりベルマウス５ｃ上部を手前に引き出す。これにより、ベルマウス５ｃがスリット５ｃｃ部分で引き裂かれる。この状態でファン５ｂなどを掴んで引き出せば、ファンモータ組立５を簡単かつ安全に取り出すことができる。
【００２６】
ベルマウス５ｃ、ファンモータカバー５ｄ、ファングリル１３およびファン５ｂを同一成形樹脂で構成すれば廃棄時に一括処理できるが、ファン５ｂを強度的な配慮にてＡＢＳなどの異なる樹脂で構成した場合は、当該ファン５ｂを別途処理することになる。例えばファン５ｂの軸受けに金属製リングを設けている場合、この金属製リングを取り外した後に処理する必要がある。
【００２７】
実施の形態２．
図４は、この発明の実施の形態２にかかる冷蔵庫のファンモータ組立付近を示す斜視図である。図５は、図４に示したファンモータ組立を示す平面図である。このファンモータ組立５の構造は、実施の形態１と略同様であるがスリット１３ｆをファングリル１３端縁およびベルマウス５ｃ端縁から寸法Ｚだけおいて設けた点に特徴がある。
【００２８】
具体的には、ファングリル１３においては、左側の中間端部および右側上方端部から一定寸法Ｚをおいて矩形状のスリット１３ｆを線状に形成したものであり、ベルマウス５ｃにおいては、上方左右端部から一定寸法Ｚをおいてファン中心に向かい矩形状のスリット５ｃｃを線状に形成したものである。この他の構成は実施の形態１と同様であるから説明を省略する。動作についても、実施の形態１と同様である。
【００２９】
他の実施の形態．
なお、上記実施の形態１および２では、スリットの形成位置を同じくしているが、当該位置はこれに限定されるものではない。例えばスリット１３ｆをファングリル１３の吹出口１３ｂと補強リブ１３ｈ，１３ｉ，１３ｊとの間を通すようにしてもよいし、スリット５ｃｃをベルマウス５ｃのモータハウジングの周囲に設けてもよい。
【００３０】
さらに、上記実施の形態では、汎用工具を用いてスリット１３ｆ，５ｃｃを引き裂くようにしているが、ファングリル１３やベルマウス５ｃに把持部として取っ手や長穴を形成しておき、その取っ手や長穴を引っ張ることでスリット部分を引き裂くようにしてもよい（図示省略）。この構成によれば、工具なしでファンモータ組立５を取り出すことができる。
【００３１】
【発明の効果】
以上説明したように、この発明にかかる冷蔵庫によれば、ファングリルおよびベルマウスをスリットに沿って引き裂きまたは叩き切ることで簡単かつ安全にファンモータ組立を取り出すことができる。
【００３２】
つぎの発明にかかる冷蔵庫は、補強リブを設けることで除去する部分を一体として除去できるから、ファンモータ組立を確実に露出できると共に手間がかからない。
【００３３】
つぎの発明にかかる冷蔵庫は、ファングリルまたはベルマウスに把持部を設けたので、工具なしでファンモータ組立を取り出すことができる。
【００３４】
つぎの発明にかかる冷蔵庫は、ファンモータ組立構成部品のプラスチック成形部品に同一材料を用いることにより、リサイクルが簡単になる。
【図面の簡単な説明】
【図１】  この発明の実施の形態１にかかる冷蔵庫のファンモータ組立付近を示す斜視図である。
【図２】  図１に示したファンモータ組立状態を示す正面図である。
【図３】  他のスリット形状を示す説明図である。
【図４】  この発明の実施の形態２にかかる冷蔵庫のファンモータ組立付近を示す斜視図である。
【図５】  図４に示したファンモータ組立を示す平面図である。
【図６】  従来における冷蔵庫の一例を示す全体断面図である。
【図７】  図６の一部拡大図である。
【図８】  図６に示した冷蔵庫の斜視構成図である。
【符号の説明】
５  ファンモータ組立、５ｃ  ベルマウス、５ｃｃ  スリット、１３  ファングリル、１３ｆ  スリット、１３ｇ，１３ｈ，１３ｉ，１３ｊ  補強リブ。
【図１】
0004139506.tif 000002
【図２】
0004139506.tif 000003
【図３】
0004139506.tif 000004
【図４】
0004139506.tif 000005
【図５】
0004139506.tif 000006
【図６】
0004139506.tif 000007
【図７】
0004139506.tif 000008
【図８】
0004139506.tif 000009